Podtech/llm-jp-corpus-v4-ja_patent huggingface dataset:
(57)【要約】      （修正有）【課題】ロール紙を引き出しやすい形態にセットしなくても、高齢化社会の一般家庭等においても、いつでも紙先を引き出しやすい形態にすることで、紙巻器の機能アップ、及び利便性を解決した紙巻器を提供する。【解決手段】紙巻器本体１の、蓋板うら面に鎖２を設け、ブラシ３を吊り下げ、当該蓋板おもて面に、取っ手４を設け、蓋を開け閉めすることで紙巻器本体からロール紙の紙先が引き出され、取りやすい形態となり、利便性及び機能アップが図られる。【選択図】図２
0003142886.tif 000002
【実用新案登録請求の範囲】
【請求項１】
紙巻器本体の、蓋板うら面からロール紙の外面に係合するブラシを吊り下げ、蓋板を閉めた状包から上に開けることで、ブラシによって、ロール紙が回転することにより、ロール紙の紙先が紙巻器本体から引き出されることを特徴とする紙巻器。
【請求項２】
紙巻器本体の蓋板おもて面に、取っ手を設け、当該、取っ手により開け閉めするのを特徴とする紙巻器。
【考案の詳細な説明】
【技術分野】
【０００１】本考案は、紙巻器本体の蓋板うら面にブラシ吊下げを設け、及び蓋板おもて面に取っ手を設けた、紙巻器に関するものである。
【背景技術】
【０００２】旅館、ホテル等において紙巻器は、利便性のために引き出し口からロール紙を引き出しやすいように切り先を三角に折るなどし、紙先を引き出しやすい形態にセットしてあるが、一般家庭においては、ペーパーを使用後、紙巻器の上蓋を利用して紙先を切り取るため次に使用する時、紙先を引き出しにくいことがある。
【考案の開示】
【考案が解決しようとする課題】
【０００３】ロール紙を引き出しやすい形態にセットしなくても、高齢化社会の一般家庭等においても、いつでも紙先を引き出しやすい形態にすることで、紙巻器の機能アップ、及び利便性を解決しようとするものである。
【課題を解決するための手段】
【０００４】本考案は、紙巻器本体の蓋板うら面にロール紙を回転させるブラシ吊下げを設け、及び蓋板おもて面に取っ手を設けた。
【考案の効果】
【０００５】旅館、ホテル等及び高齢化社会の一般家庭等においてもロール紙が引き出しやすいという利便性を享受できる。
【考案を実施するための最良の形態】
【０００６】紙巻器の、蓋板を開け閉めすることで、ロール紙がブラシによって回転して、紙巻器本体から紙先が引き出されて取りやすい形態となる。
【実施例】
【０００７】以下添付図面に従って実施例を説明する。１はプラスチック及び金属等適宜素材にて一体化された紙巻器本体、２は蓋板と一体化されたブラシ吊下げ鎖、３はブラシ、４は蓋板と一体化された取っ手。
【産業上の利用可能性】
【０００８】ロール紙の幅に合わせた紙巻器を用いることにより多様なサイズの紙にも適用できる。
【図面の簡単な説明】
【０００９】
【図１】紙巻器本体の、蓋板を開けた正面図
【図２】紙巻器本体の、蓋板を開けた側面切断図
【図３】紙巻器本体の、蓋板を半開き側面切断図
【符号の説明】
【００１０】１紙巻器本体
２鎖
３ブラシ
４取っ手
【図１】
0003142886.tif 000003
【図２】
0003142886.tif 000004
【図３】
0003142886.tif 000005
(57)【要約】      （修正有）【課題】褪色や劣化防止された押し花と、写真又は絵画等の被装飾物が一緒に額内に納められ、設置や差し替えが誰にでも簡単に出来る写真又は絵画等の表示額を提供する。【解決手段】押し花を２枚の透明な熱圧着式のラミネートフィルムに挟み熱圧着し押し花入りラミネートフィルム１とし、この押し花入りラミネートフィルム１の前面又は背面に写真又は絵画等の被装飾物２を配し、その前面には透明保護板３を背面には額縁背面４備えて、額縁縁廻り５に納めたことを特徴とする写真又は絵画等の表示額。【選択図】図１
0003142881.tif 000002
【実用新案登録請求の範囲】
【請求項１】
押し花を２枚の透明な熱圧着式ラミネートフィルムに挟んで、熱圧着して押し花入りラミネートフィルム（１）とし、この押し花入りラミネートフィルム（１）の前面又は背面に写真や絵画等の被装飾物（２）を配し、その前面には透明保護板（３）を背面には額縁背面板（４）を備えて、額縁縁廻り（５）に納めたことを特徴とする写真又は絵画等の表示額（１０）。
【考案の詳細な説明】
【技術分野】
【０００１】  本考案は額内に収納して用いられる、写真又は絵画等の表示額の装飾に関するものであり、特に押し花入りラミネートフィルムを用いて写真又は絵画等の表示額の装飾に関するものである。
【背景技術】
【０００２】  従来から写真又は絵画等を飾る際に額が用いられているが、この際この額内に更に開口窓が開口された縁マットを配置して、装飾効果を高めることが行われているが、装飾面で物足りなさを感じる面があった。
また押し花を用いて装飾効果を高める方法もあるが、押し花専用の額縁と押し花専用の乾燥剤を用いて写真や絵画等を押し花と一緒に密封しなければならないため技術を要し，誰もが簡単に設置しにくい面があり、また写真や絵画等を何らかの状況の変化等によって差し替えたいと思っても困難である。【０００３】  また額の製作の依頼があるまで、押し花を適切な方法で保管しなければならないが、ときには保管期間中に押し花の腿色が進み劣化する場合がある。
【考案の開示】
【考案が解決しようとする課題】
【０００４】  本考案はこのような背景からなされたものであって、写真又は絵画等の装飾効果を高め、四季折々の押し花を写真や絵画と一緒に額内に納めて心に残る額を提供すること、また誰にでも簡単に押し花の設置と、状況の変化に応じて押し花や写真又は絵画等の差し替えが出来る写真又は絵画等の表示額を提供するものである。
【考案を解決するための手段】
【０００５】  本考案の写真又は絵画等の表示額１０は、押し花を２枚の透明な熱圧着式ラミネートフィルムに挟み熱圧着し、押し花入りラミネートフィルムを１とし、この押し花入りラミネートフィルム１の前面又は背面に写真や絵画等の被装飾物２を配し、前面には透明保護板３を、背面には額縁背面板４を備えて、額縁縁廻り５に納めたことを特徴とする額である。
【０００６】  本考案で用いる押し花は褪色防止保護剤スプレーをコーティングした後、熱圧着式フィルムで挟むことが好ましい。外部からの湿気を防止するためのコーティングをすることで押し花を湿気から守り、また押し花は熱圧着式フィルムで熱圧着されているので空気が遮断されているため、長い期間生花に近い綺麗な色を楽しむことができるとともに被装飾物の装飾効果を高めて観る人の心を捉えることができる。
【考案の効果】
【０００７】  本考案の写真や絵画等の表示額の１０では押し花を熱圧着式ラミネートフィルムに挟んで熱圧着し押し花入りラミネートフィルム１として用いるので、従来の押し花額の製作のように写真や絵画などの被装飾物２と押し花を一緒に密封しなくてもよい。したがって被装飾物２は、押し花入りラミネートフィルム１の前面又は背面に自由に設定ができる。
被装飾物２の前面に置く縁マット６は必要に応じて用いなくてもよい。
また記念として残して置きたい写真や絵画等の被装飾物２の設置や差し替えが、誰でも簡単にできる為に価格もこれを反映して提供しやすくなる。
【０００８】  額内の押し花は、早期に褪色や劣化することを防止しているので、写真又は絵画等の被装飾物２を、長期間綺麗に装飾することができる。
【考案を実施するための最良の形態】
【実施例】
【０００９】  以下、図面１０を用いて実施例を説明する。図１及び図２は本考案の写真又は絵画等の表示額の１０構成を示すものである。本実施例では、花として菊の花大小１０個を用い、この花を押し花専用乾燥マットで乾かした後褪色防止保護剤スプレーで外部からの湿気を防止するためのコーティングをした。
コーティングし押し花は、厚さ１５０ミクロンのラミネートフィルム２枚の上下に配して挟み、熱圧着して得られたラミネートフィルム１の背面に開口窓が開口された縁マット６を介して被装飾物２としての写真を配し、前面には透明保護板３としてのガラス板を重ねて木製の額縁縁廻り５にしっかりとはめこんだ。
被装飾物２の後面には額縁背面板４のベニヤ板厚さ３ｍｍのものを用いて額縁縁廻り５に納め、額縁縁廻り５と額縁背面板４をあわせて止め金具でしっかりと固定した。
こうして得られた写真又は絵画等の表示額の１０を図４に示す。
図のように菊の花に飾られた美しい写真又は絵画等の表示額が出来上がった。【００１０】  実施例では額縁縁廻り５は木製を用いたが樹脂製、金属製等何れかを用いてもよい。
透明保護板３は頑丈で透明なものであれば良く、アクリル板やガラス板等用いることができる。【００１１】  縁マット６は本実施例では押し花入りラミネートフィルム１と被装飾物２との間の周縁に用いた。被装飾物２については写真や絵画その他布製のものや、記念として飾っておきたいもので尚且つ薄いものであれば用いることができる。【００１２】  額縁背面板４としては本実施例ではベニヤ板を用いたが、しっかりしたものであればプラッチック製の板、厚紙、杉板などを用いてもよい。
【図面の簡単な説明】
【００１３】
【図１】写真又は絵画等の表示額の一例を示す構成図。
【図２】図１で示した構成で完成させた写真又は絵画等の表示額の横断図である。
【図３】図１で示した構成で完成させた写真又は絵画等の表示額を作成する手順を示す説明図である。
【図４】本考案の図３で示した手順で作成した写真又は絵画等の表示額の正面図である。
【符号の説明】
【００１４】  １押し花入りラミネートフィルム
２被装飾物
３透明保護板
４額縁背面板
５額縁縁廻り
６縁マット
【図１】
0003142881.tif 000003
【図２】
0003142881.tif 000004
【図３】
0003142881.tif 000005
【図４】
0003142881.tif 000006
(57)【要約】      （修正有）【課題】自動車の部分補修塗装のぼかし際をなじませる工具で、ぼかし液の入れ置きができ、液ダレも無く、何時でも即座に使用できると共に合理性と経費削減に役立つ極小型ぼかし液スプレーガンを提供する。【解決手段】極小型ぼかし液スプレーガンは、重力式カップ７と極小型スプレーガン９から成り、その間に極細目フィルター８を設けることにより、異物の挟まりや液漏れを防ぐ。【選択図】図１
0003142883.tif 000002
【実用新案登録請求の範囲】
【請求項１】
重力式カップと極小型スプレーガン間に極細目フィルターを組み込んだ極小型ぼかし液専用スプレーガン。
【考案の詳細な説明】
【技術分野】
【０００１】
本考案は自動車の部分補修塗装のぼかし際（ざらざらの塗面）をなじませる作業を行うぼかし液専用の極小型重力式スプレーガンに関する。
【背景技術】
【０００２】
自動車補修塗装用重力式スプレーガンは一般に小型と言われているノズル口径が1.3ミリ〜１．５ミリが主流で各種の物が使われている。
その他に極小型スプレーガンと言われノズル口径が０．３ミリ〜１．０ミリの物が数少ないが出回っている。
【０００３】
塗装用小型重力式スプレーガンのカップに塗料用ろ過フィルターをセットできる物がある（特許文献１参照）。
【特許文献１】実用新案登録第３０１１５３０
【考案の開示】
【考案が解決しようとする課題】
【０００４】
小型スプレーガンでのぼかしなじませ作業はぼかし面積が多くなる。
【０００５】
小型スプレーガンでのぼかしなじませ作業は塗装後カップを洗浄無せずぼかし液を入れ行うため残った液は廃棄している。
【０００６】
塗装後カップを洗浄無せずぼかし液を入れ行うため養生が必要である。
【０００７】
塗装後カップを洗浄無せずぼかし液を入れ行うためぼかし箇所が複数になると後でまとめて行うため乾燥して効率が悪い。
【０００８】
極小型スプレーガンと言われノズル口径が０．５ミリ前後と細い二―ドルとノズルの間に微小な異物でも挟まるとわずかな液漏れが生ずる。
【０００９】
重力式カップにぼかし液を入れたまま長い時間放置するとわずかな漏れでも無くなってしまう事がある。
【００１０】
液漏れでエアキャップに溜まったぼかし剤が吹き始めに粒状になって塗り面に飛び散り再塗装に成りかねない。
【課題を解決するための手段】
【００１１】
本考案は重力式カップと極小型スプレーガン間に極細目フィルターを組み込んだ極小型ぼかし液専用のスプレーガンである。
そのカップにぼかし剤を入れたまま何時でも使用出来る様にしておく事によりぼかし剤の使用量が大幅に削減できると共に作業効率がよい。
【００１２】
極小型スプレーガンと言われるノズル口径が０．５ミリ前後と細く二ドルとノズルの間に異物が挟まり易く液漏れが生じ作業に支障が起きる、従って微小の異物も通さないフィルターを設ける事により防止できるのである。
【００１３】
重力式カップにぼかし液を入れたまま長い時間放置するとわずかな漏れでも無くなってしまい経済的にも環境的にも良くないが、フィルターを設ける事により防止できるのである。
【考案の効果】
【００１４】
極小型スプレーガンでのぼかしなじませ作業は塗装ぼかし面が広がらない。
【００１５】
極小型スプレーガンでのぼかしなじませ作業後はそのまま次の塗装に使える。
【００１６】
極小型スプレーガンでのぼかし液は溶剤のみで養生を必要としない。
【００１７】
ぼかし箇所が複数でもその箇所毎に行う事で効率よく仕上がりが良い。
【００１８】
重力式カップにぼかし液を入れたまま長い時間放置してもろ過装置を設ける事により液漏れは起きない。
【００１９】
なじませ作業におけるぼかし剤の使用量が小型スプレーガンと極小型スプレーガンとの差は数分の１になる。
【００２０】
そして残ったぼかし剤を捨てる事無く環境にも経済的にも良い。
【考案を実施するための最良の形態】
【００２１】
自動車補修用ぼかしテープを使った作業で説明する。
本考案でのドアーのウェザーストリップの手前（図２Ａ）でのぼかし塗装の場合塗装後図２Ｂの様にぼかしテープも養生もなしでぼかし剤を吹付けられる。
【００２２】
従来の方法では図３Ｄの様にぼかし剤塗布にもぼかしてテープと養生が必要となる。
【００２３】
その他プレスラインでのぼかし剤塗布にも同様の工程違いがある。
【００２４】
極小型スプレーガンは狭い隙間にポイントで塗布する事が出来る、例えば、ドアーとドアーの隙間、そしてドアーハンドルの下面など従来の小型ガンでは出来ない事が可能である。
【００２５】
極小型ぼかし液専用スプレーガンにより効率の良い作業とぼかし液の大幅な削減を提供するものである。
【図面の簡単な説明】
【００２６】
【図１】図１本考案のフィルターとスプレーガンの分解断面図
【図２】図２本考案を用いた塗装部分の断面図。
【図３】図３従来の方法を用いた塗装部分の断面図。
【符号の説明】
【００２７】
１  自動車のドアー上部
２  ぼかしテープ
３  ウェザーストリップ
４  ぼかし塗面
５  考案のスプレーガン
６  従来のスプレーガン
７  重力式カップ
８  極細目フィルター
９  極小型スプレーガン
【図１】
0003142883.tif 000003
【図２】
0003142883.tif 000004
【図３】
0003142883.tif 000005
(57)【要約】      （修正有）【課題】歩かずに体重移動のみでフィットネスができるようなサンダルを提供する。【解決手段】地面側土踏まず中央に凸状の部分を設けている。この部分の断面は半円状である。つまり一般の歩行用のサンダル裏側に、半円柱を取り付けた形である。凸状部分の高さ、つまり断面の半径は、サンダルサイズの６分の１程度が適当である。素材は、主に室内で使用するため、ゴム等軟質のもので、床材を傷つけないものが望ましく、サンダル本体と一体成型することができる。【選択図】図１
0003142884.tif 000002
【実用新案登録請求の範囲】
【請求項１】
地面に接する側の、土踏まず中央部分を凸状にしたことを特徴とするサンダル。
【考案の詳細な説明】
【技術分野】
【０００１】  本考案は、室内用のサンダルに関するものである。地面側土踏まずの中央部分を凸状にすることで、体重をつま先、土踏まず、かかとのいずれかに集中させることができ、体重移動をすることによるフィットネス効果をねらったものである。
【背景技術】
【０００２】  従来のフィットネス用のサンダルには、かかとの部分を切った、つま先立ち専用のものがある。
【考案の開示】
【考案が解決しようとする課題】
【０００３】  つま先立ち専用のサンダルでは、ダイエット効果は期待できるが、ふくらはぎの同じ筋肉の緊張状態が続くため、疲れを取るためにはマッサージ等の補助的な手入れが必要になる。
【課題を解決するための手段】
【０００４】  そこで、地面側土踏まずの中央部分を凸状にすることにより、歩くことなく体重移動のみで筋力の向上とストレッチができるサンダルを考案した。前重心でつま先立ち運動。後ろ重心でかかとに体重をかけ、ふくらはぎの筋肉を伸ばすことによる、柔軟性の向上。中央重心で土踏まず立ちすることによる、バランス感覚の養成など、様々な用途に使用することができる。
【考案の効果】
【０００５】  体重移動でふくらはぎの筋肉を緊張、弛緩させることは、血液の循環を良くして健康増進につながる。また本考案は歩くことを必要としないので、家事などの立ち仕事をしながら使用したり、事務仕事の合間に使用したりするなど、様々な生活場面で使用して健康増進を図ることが期待できる。
【考案を実施するための最良の形態】
【０００６】  本考案におけるサンダルフィットネスは、図１に示すように、地面側土踏まず中央に凸状の部分を設けている。この部分の断面は半円状である。つまり一般の歩行用のサンダル裏側に、半円柱を取り付けた形である。凸状部分の高さ、つまり断面の半径は、サンダルサイズの６分の１程度が適当である。素材は、主に室内で使用するため、ゴム等軟質のもので、床材を傷つけないものが望ましく、サンダル本体と一体成型することができる。
【図面の簡単な説明】
【０００７】
【図１】  本考案に係るサンダルフィットネスを側面から見た状態である。
【図２】  サンダルフィットネス裏側を斜めから見た状態である。
【符号の説明】
【０００８】  １        つま先
２        凸状部分
３        かかと
【図１】
0003142884.tif 000003
【図２】
0003142884.tif 000004
(57)【要約】      （修正有）【課題】袖の部分だけ正絹を使用する和服用の肌着において、洗濯前及び洗濯後の処理を容易とした襦袢を提供する。【解決手段】汚れが著しいのは肌着であることに着目し、薄手の生地で構成される胴体部に、正絹の袖を縫いつけた襦袢を肌着の上に着用することを特徴とする。また肌着への固定を確実にし、尚且つ肌着への脱着が容易にできるように、オープンファスナーを取り付けたことを第２の特徴とするものである。【選択図】図２
0003142807.tif 000002
【実用新案登録請求の範囲】
【請求項１】
薄手の生地で襦袢の胴体部４を構成し、この肩口から左右それぞれに正絹袖５が取り付けたことを特徴とする脱着可能な正絹袖の襦袢。
【請求項２】
胴体部４の衿付けに沿って、右下前衿から衿の後ろ側まで及び左下前衿から衿の後ろ側までの２箇所にオープンファスナー２及びオープンファスナー３が取り付けられた襦袢と、衿付けに沿って右下前衿から衿の後ろ側まで及び左下前衿から衿の後ろ側までの２箇所に、襦袢と対になるオープンファスナー２及びオープンファスナー３が取り付けられた肌着とで構成されることを特徴とする請求項１記載の脱着可能な正絹袖の襦袢。
【請求項３】
オープンファスナーを面オープンファスナーまたはボタンに換えたことを特徴とする請求項２記載の脱着可能な正絹袖の襦袢。
【請求項４】
襦袢の胴体部４に薄手のネット状の生地を使用したことを特徴とする請求項１から３いずれか１項に記載の脱着可能な正絹袖の襦袢。
【考案の詳細な説明】
【技術分野】
【０００１】
本考案は肌着に脱着可能な正絹袖を用いた襦袢に関する。
【背景技術】
【０００２】
着物の着付けを概略説明すると、先ず肌着、腰巻を地肌にまとい、次に長襦袢を着て、その上に着物を着て帯を巻くことで着付けが完了する。
長襦袢は特に袖の部分に正絹を使用することが多く、またその方が伝統的な着物においては正当的でもあるが、汚れた場合の洗濯には気遣いと費用が掛かり、それらを解消するために、肌着に袖の部分だけ正絹袖を縫いつけ、肌着を洗濯する場合にはその袖を取り外し、洗濯後にまた袖を縫いつける手間をかけているのが実情である。
【０００３】
これらの手間を解消するため、最近では肌着に化学繊維でできた袖を取り付けた襦袢が市販されているが、本来の着物の風合いや着心地を考慮すると、正絹袖が良いことは被着者にとっては十分理解されており、また不満の要因でもある。
これらの課題解決のため、襦袢の袖をボタンで脱着できる襦袢が出願されているが、袖の部分をボタンで取り付け取り外しを行うため、着用時の接合部の袖のめくれや、装着感に課題が残る。
【特許文献１】実登３１３３９５２号
【考案の開示】
【考案が解決しようとする課題】
【０００４】
前述の化学繊維を用いた袖の場合は、洗濯時における気遣いや費用の面で効果があるが、正絹の風合いは犠牲となり、被着者にとっては大きな不満である。また、肌着に正絹の袖を縫いつける場合は、取り外し取り付けの手間が、被着者にとって大きな負担である。
【課題を解決するための手段】
【０００５】
本考案は前述の課題を解決するために考案されたもので、汚れが著しいのは肌着であることに着目し、薄手の生地で構成される胴体部に、正絹の袖を縫いつけた襦袢を肌着の上に着用することを特徴とする。また肌着への固定を確実にし、尚且つ肌着への脱着が容易にできるように、オープンファスナーを取り付けたことを第２の特徴とするものである。
【考案の効果】
【０００６】
この脱着可能な正絹袖の襦袢により、洗濯時は肌着を取り外し、肌着のみを洗うことができる。更に、袖に正絹を使用でき、取り外し取り付けも容易におこなうことが可能となり、被着者の手間や負担を解消することができる。
【０００７】
襦袢の胴体部４に薄手のネット状の生地を使用することで、襦袢の汚れを最小限に抑え、且つ通気性を良くし蒸れ等を抑制することが可能となる。
【考案を実施するための最良の形態】
【０００８】
本考案の構成について、実施例を基に図面を引用して説明する。
【実施例１】
【０００９】
図１は本考案の正面図である。薄手の生地で襦袢の胴体部４を構成し、この肩口から左右に正絹袖５を取り付ける。この正絹袖の襦袢を肌着１の上にまとうことで、襦袢の袖として機能する。
【００１０】
襦袢胴体部４の生地は、薄手のネット状のものが通気性の面で好ましく、薄手で目の粗い生地であればよいが、それに限定するものではない。袖の取り付けは、綿製または絹製の糸にて、手縫いまたはミシン等による機械縫いで行う。
【実施例２】
【００１１】
図２はオープンファスナーを取り付けた本考案の正面図である。薄手の生地で襦袢の胴体部４を構成し、この肩口から左右それぞれに正絹袖５を取り付ける。更に、胴体部４の衿付けに沿って右下前衿から衿の後ろ側まで右オープンファスナー２を取り付け、同様に左下前衿から衿の後ろ側まで左オープンファスナー３を取り付けることで正絹袖の襦袢を構成する。
【００１２】
肌着にも図３に示すように、衿付けに沿って右下前衿から衿の後ろ側まで、襦袢と対になる右オープンファスナー２を取り付け、同様に左下前衿から衿の後ろ側まで、襦袢と対になる左オープンファスナー３を取り付ける。この肌着と前述の正絹袖の襦袢をオープンファスナーで接合して着用する。このオープンファスナーにより、正絹袖の襦袢と肌着１への取り付け取り外しを行うことで、脱着が容易となる。
【００１３】
襦袢胴体部４の生地は、薄手のネット状のものが通気性の面で好ましく、薄手で目の粗い生地であればよいが、それに限定するものではない。袖の取り付けは、綿製または絹製の糸にて、手縫いまたはミシン等による機械縫いで行う。
【００１４】
脱着の手段としてはオープンファスナーが好ましく、面オープンファスナー、ボタン等でもよい。オープンファスナーの取り付けは、左右２箇所が脱着し易さにおいて好ましいが、左から右または右から左へ一周するように取り付けてもよい。面オープンファスナーやボタンの場合は、ある間隔をおいて取り付けるのがよい。
【産業上の利用可能性】
【００１５】
この正絹袖の襦袢は工業生産が可能であり、あらたな着付け用肌着、襦袢として、供給者において生産、販売が可能である。
【図面の簡単な説明】
【００１６】
【図１】本考案の正面図
【図２】オープンファスナーを取り付けた本考案の正面図
【図３】オープンファスナーを取り付けた肌着の正面図
【符号の説明】
【００１７】
１  肌着
２  右オープンファスナー
３  左オープンファスナー
４  胴体部
５  正絹袖
【図１】
0003142807.tif 000003
【図２】
0003142807.tif 000004
【図３】
0003142807.tif 000005
(57)【要約】【課題】診断用Ｘ線画像撮影や医療従事者が運搬する際の損傷や、消毒薬剤による仕様ラベルの剥離を防止することの可能な散乱Ｘ線除去用グリッドを提供する。【解決手段】散乱Ｘ線除去用グリッドに耐水性、耐薬品性かつ高強度のカバーを装着し周辺部にフレーム加工を施すことにより、表面の仕様ラベルや塗装の剥離、グリッドの内部構造の亀裂や打痕から散乱Ｘ線除去用グリッドを保護する。【選択図】図１
0003142900.tif 000002
【実用新案登録請求の範囲】
【請求項１】
全体剛性及び平面強度を高め、表面を保護する為の耐水性、耐薬品性素材のカバーを装着し、フレーム加工を施した散乱Ｘ線除去用グリッド。
【考案の詳細な説明】
【技術分野】
【０００１】本考案は、散乱Ｘ線除去用グリッドに関し、より全体剛性及び平面強度が高く、表面を保護した散乱Ｘ線除去用グリッドに関する。
【背景技術】
【０００２】従来、ＪＩＳ  Ｚ４９１０−２０００に準ずる散乱Ｘ線除去用グリッドで、診断用Ｘ線画像撮影を行っていた。
【考案の開示】
【考案が解決しようとする課題】
【０００３】上述の散乱Ｘ線除去用グリッドを用いる場合、大きいサイズ、特に長尺散乱Ｘ線除去用グリッドは診断用Ｘ線画像撮影や医療従事者が運搬する際、散乱Ｘ線除去用グリッドに対してねじれの力や、その一点への負荷がかかることにより、内部構造の亀裂や打痕等のＸ線画像に影響を及ぼす損傷につながることがある。また、使用後の消毒を繰り返すことで、散乱Ｘ線除去用グリッド表面の仕様ラベルや塗装が薬剤の影響を受けて剥離し、散乱Ｘ線除去用グリッドの仕様の識別が困難になることがある。【０００４】本考案は、上述の不都合を解消しようとするもので、より高い強度を有し、表面を薬剤から保護することが可能な散乱Ｘ線除去用グリッドを提供しようとするものである。
【課題を解決するための手段】
【０００６】本願の請求項１に係る考案は、散乱Ｘ線除去用グリッド表面に耐水性、耐薬品性かつ高強度のカバーを装着し周辺部にフレーム加工を施すことにより、表面の仕様ラベルや塗装の剥離、グリッドの内部構造の亀裂や打痕から散乱Ｘ線除去用グリッドを保護する。
【考案の効果】
【０００７】本考案を用いることで、診断用Ｘ線画像撮影や運搬の際に、散乱Ｘ線除去用グリッドの一点に一定の負荷がかかった場合でも、Ｘ線画像に影響を及ぼす内部構造の損傷を避けることが可能であり、緊急時の使用に有益である。また消毒薬剤から表面の仕様ラベルを保護することにより、散乱Ｘ線除去用グリッドの識別に困難を来すことを防止することが可能である。
【考案を実施するための最良の形態】
【０００８】本考案の実施形態を、図面を用いて詳細に説明する。図１本考案の断面図であり、図２はその外観斜視図である。【０００９】カバー材２を散乱Ｘ線除去用グリッド本体１の表裏の両面に耐水性、耐薬品性かつ高強度のカバー材を装着することで、サンドイッチ構造内部の散乱Ｘ線除去用グリッドを保護する。散乱Ｘ線除去用グリッド１とカバー材２にフレーム３を施すことで、さらにねじれ等の力に対する強度を向上させる。【００１０】以上本考案の実施例を示したが、カバー材の素材は耐水生、耐薬品性で、高強度の素材を用いることとし、単一の素材のみに限定されるものではない。
【図面の簡単な説明】
【図１】カバー、フレーム付き散乱Ｘ線除去用グリッドの断面図である。
【図２】カバー、フレーム付き散乱Ｘ線除去用グリッドの外観斜視図である。
【符号の説明】
１散乱Ｘ線除去用グリッド本体
２カバー材
３フレーム
【図１】
0003142900.tif 000003
【図２】
0003142900.tif 000004
(57)【要約】      （修正有）【課題】パチンコを有利に遊戯するにあたり、パチンコ台の釘の位置の良し悪しを判別する事が安易にできるシートを提供する。【解決手段】理想とするパチンコの釘の形状が描かれた透明性・粘着性に優れた素材のシート材を、デジタルカメラで撮影した時、映し出される画像表示画面に付着させ、画像表示画面に映し出された画像とシートを照合しながら釘のズレを比較する。透明性・粘着性に優れた素材のシート材と撮影した画像を照合し、理想とする形と画像表示画面から見た実像の違いを容易に判別出来る。【選択図】図５
0003142898.tif 000002
【実用新案登録請求の範囲】
【請求項１】
透明性・粘着性に優れた素材のシート材に、基準となるパチンコの釘の配列画像を印刷し、デジタルカメラの画像表示画面に貼り付け、撮影画像と透明性・粘着性に優れた素材のシート材に印刷された画像を照合し、シートに印刷されたものと、実際の対象物とを比較することにより、理想と実際の違いを判別する為のシート。
【請求項２】
請求項１に記載されたシートを画像表示画面に張るという簡単な作業により、理想の形が求められるパチンコの釘や手相、ゴルフスイングや眉毛等の幅広い分野にて利用できることを特長とするシート。
【考案の詳細な説明】
【技術分野】
【０００１】本事案は、透明性・粘着性に優れた素材のシートに、理想となるパチンコの釘の画像を印刷して、対象とする釘を比較する為のシートである。
【背景技術】
【０００２】対象とするパチンコの釘は目測して比較する事が一般的であり、理想とする状態のものを複数の中から探す時きに、微妙なズレを簡単に認識する事が困難であった。
【考案の開示】
【考案が解決しようとする課題】
【０００３】パチンコの釘のズレや違いを目測して確認し比較したとき、微妙なズレを正確に判断する事が困難であった。従って本考案のシートを使用し、前述の欠点を解決しようとするものである。
【課題を解決するための手段】
【０００４】本考案は、パチンコの釘のズレを従来よりも簡単に判別するために、シートなどに正確に釘の位置を印刷出来ないかと日々研究を重ねて創案されたものです。この理想とするパチンコの釘の配列が描かれた特殊な透明性・粘着性に優れた素材のシートを、デジタルカメラで撮影した画像に貼り付け比較する事により、微妙なズレも簡単に判別できる。以上のことから問題点を解決している。
【考案の効果】
【０００５】（１）上述の様に、従来パチンコの釘の配列や調整は人の目によって目測されていた。本事案のシートを使用する事により、正確にパチンコの釘の配列や調整を誰でも簡単に判別する事が可能となった。【０００６】（２）目測では困難な細部にいたる箇所への比較が可能であり、見た目では同じ様に見えても、微妙な違いをしているパチンコの釘の調整が難しい場合に置いても簡単に判別できる。【０００７】（３）何度でも貼り付け可能であるので、何種類もの理想とするパチンコの釘が描かれた透明性・粘着性に優れた素材のシートを好きな時に簡単に張り替える事が利用者を楽しませる要因のひとつである。
【考案の実施するための最良の形態】
【０００８】布等でデジタルカメラの画像表示画面を綺麗に拭き、理想とするパチンコの釘の画像が印刷された、透明性・粘着性に優れた素材のシートを画面のほぼ中央部分に張り、理想とするパチンコの釘の画像が印刷された透明性・粘着性に優れた素材のシートに描かれている画像と、目的とするパチンコ台の釘とがぴったり重なり合うように標準を合わせる。その後撮影をし、理想のパチンコ台の釘と実際のパチンコ台の釘とを比較をする。
【実施例】
【０００９】以下、添付画面に従って一実施例を説明する。１は粘着性に優れた素材のシートで、その基本層構成についての説明図である。１ａが基剤（透明タイプ、白色タイプ、蒸着タイプなどがある。）１ｂがゲルポリマー樹脂層、１ｃがセパレータ（シリコンＰＥＴタイプ、ＯＰＰタイプ、紙タイプ等がある。）の３層で構成されている。このシートは張り合わせを行う際、フィルムの自重によって混入する空気がスーっと抜けていくという特長がある。気泡が出来にくいだけでなく、透明性にも優れており、張りやすく剥がしやすいのが特長である為、誰でも簡単に使用できる。【００１０】２は１のシートの表面に、理想とするパチンコの釘の形状を印刷したものであり、これを３の携帯電話の画面部分に正確に貼り付ける。【００１１】４は本事案のシートを貼り付けた状態の携帯電話であり、付属されたカメラを使い６の各パチンコ台の対象箇所を撮影する。この時、２ｂのシートに印刷されたパチンコの役物の絵と、６のパチンコ台に設置されている６ａの役物が正確に重なり合うようにしなければ微妙なズレを判断することは難しいので注意する。【００１２】本事案のシートが、今まで目測して判別していた曖昧な判断よりも、微妙なズレを正確に判断するのに適している事がわかる。以上の事から、パチンコの釘だけではなく、手相の判別や理想とする眉毛の形、髪型、ピアスの位置の様な正確な判断を求められたときにも使用効果があり、幅広い利用方法がある。
【図面の簡単な説明】
【００１３】
【図１】本事案に使用するシートの基本層構成の切欠断面図である。
【図２】理想とするパチンコの釘の形状が描かれた透明性、粘着性に優れた素材のシートの正面図である。
【図３】本事案のシートを携帯電話の画面部分に貼り付けようとする正面図である。
【図４】本事案のシートを携帯電話の画面部分に張りつけ付属されたカメラを使用し、目標とするパチンコ台の釘の状態を判断ようとしている正面図である。
【図５】本事案のシートと携帯電話の画面部分に映し出された画像を照らし合わせて、ズレを比較している正面図である。
【図６】手相や人物をシートに印刷した正面図である。
【符号の説明】
【００１４】１  ゲルポリマーシート
２  ゲルポリマーシートに理想とするパチンコの釘の位置が印刷されたシート
３  携帯電話
４  本事案シートを携帯電話の画面部分に張り合わした状態
５  人物
６  パチンコ台
７  判断対象とする手相が印刷されたシート
８  判断対象とする人物が印刷されたシート
【図１】
0003142898.tif 000003
【図２】
0003142898.tif 000004
【図３】
0003142898.tif 000005
【図４】
0003142898.tif 000006
【図５】
0003142898.tif 000007
【図６】
0003142898.tif 000008
(57)【要約】      （修正有）【課題】太陽電池発電装置設置場所が無人の乾燥地帯であっても黄砂・粉塵の附着の少なくできる太陽電池盤表面粉塵除去装置を提供する。【解決手段】太陽電池板表面の凹凸による粉塵の進入防止と粉塵の附着を少なくするように、すべりのよい透明シート２で太陽電池盤をカバーする、音響信号振動器５を太陽電池パネル盤に直接取り付け盤全体を強弱に振動させ黄砂や粉塵を除去する。【選択図】図１
0003142899.tif 000002
【実用新案登録請求の範囲】
【請求項１】
磁石とコイル筒を組み合わせた音響振動器を太陽電池盤に直接取り付け音楽等の強弱音響信号を利用した振動により太陽電池盤表面を振動させ黄砂・粉塵・ぼこり等を除去する装置。
【考案の詳細な説明】
【技術分野】
【０００１】  本考案は太陽電池表面粉塵除去に関する。
【背景技術】
【０００２】  従来の太陽電池盤の表面清掃は現在、日本的気候では自然表面清掃である。
【考案の開示】
【考案が解決しようとする課題】
【０００３】  太陽電池盤の表面清掃は現在、日本的な気候では雨や風によって自然に粉塵は流すが乾燥地帯の砂漠では雨は少なく表面の黄砂・粉塵の清掃が課題である。
【課題を解決するための手段】
【０００４】  本考案は太陽電池盤全体をタイマーの起動により音響振動器に強弱音響信号を利用して表面全体を強弱に振動させ表面の黄砂・粉塵を落とし清掃する、電源には太陽電池電源を使用する。
【考案の効果】
【０００５】  本考案は砂漠など乾燥地帯の無人地区に設置し、太陽電池発電盤表面の黄砂や粉塵など附着したごみを太陽電池盤表面全体を盤に取り付けた音響振動器の強弱振動により除去し表面を清掃する効果がある。
【考案を実施するための最良の形態】
【実施例】
【０００６】  本考案の図面に従って説明する、（図１）は音響振動器付太陽電池発電盤外観図で１太陽電池パネルに２粉塵などが附着しにくい透明シートでカバーし３電池盤取付台と１電池パネルの間に４クッションゴムを入れはさみ取り付け台に固定する、５音響振動器を７太陽電池基盤の裏側から取り付け、パネル全体に振動を伝えるように固定する、６制御・電池ケース（タイマー・信号プログラム・コントロール用蓄電池ケース）をセットする。【０００７】  音響振動器構造図（図２）に従って説明する、７太陽電池基盤に可動部９振動側コイルを巻いた８ボビン筒を固定する、１１磁石台に１０永久磁石を取り付３電池盤取付台に固定する、次に７太陽電池基盤と３電池盤取付台の間に４クッションゴムをはさみ組み立てる、【０００８】  動作説明として９振動側コイルに音響信号電流を流すと８ボビン筒の内側に電流の方向によって磁力線のＳＮが入れ替わり矢印のように上下に震動することによって１太陽電池パネルも振動し黄砂・粉塵を振り落とし除去することが出来る。
【図面の簡単な説明】
【０００９】
【図１】  音響振動器付太陽電池発電盤外観図
【図２】  音響振動器構造図
【符号の説明】
【００１０】  １    太陽電池パネル
２    透明シート
３    電池盤取付台
４    クッションゴム
５    音響振動器
６    制御・電池ケース
７    太陽電池基盤
８    ボビン筒（コイル巻き）
９    振動側コイル
１０  永久磁石
１１  磁石台
【図１】
0003142899.tif 000003
【図２】
0003142899.tif 000004
(57)【要約】      （修正有）【課題】内部のマフィン等を食する際に容易に開くことができる使い捨てカップを提供する。【解決手段】使い捨てカップ１は全体が透明のポリエチレンテレフタレートフィルムから構成され、円筒状の周壁部２とその下部に一体に設けられる底部３とからなり、周壁部２に縦方向に、また底部３の周縁に沿って超音波溶着による接合部５，６のそれぞれが設けられている。接合部５において外側に重ねられる端部９には引き剥がす際の掴み片１４が一体に設けられ、その下部は斜め湾曲縁(嵌め込みガイド部)１５となって接合部５側に至っている。【選択図】図１
0003142894.tif 000002
【実用新案登録請求の範囲】
【請求項１】
周壁部と底部とからなり、前記周壁部が一部で開き可能に接合された構成で、前記周壁部の接合される端部において外側に位置する側の端部に、前記周壁部の接合を引き剥がす際の掴み片が一体に設けられてなることを特徴とする使い捨てカップ。
【請求項２】
請求項１記載の使い捨てカップの複数個のものを嵌め込み重ねる際に、下側の使い捨てカップの前記周壁部の上縁が上側の使い捨てカップの前記掴み片にひっかかることがないように、前記掴み片の下部に嵌め込みガイド部が設けられてなる請求項１記載の使い捨てカップ。
【考案の詳細な説明】
【技術分野】
【０００１】  この考案は、マフィン等の各種食品を納めるように用いる使い捨てカップに関する。
【背景技術】
【０００２】  マフィン等の洋菓子はカップ内に納められた状態で販売されており、それを食する際にはカップを破り開く必要がある。
【考案の開示】
【考案が解決しようとする課題】
【０００３】  この種の従来カップは環状の周囲部が連続一体であるので、それを破り開くのに手間がかかる問題があった。【０００４】  この考案では容易に開くことができ、内部のマフィン等が食べやすい使い捨てカップの提供を目的とする。
【課題を解決するための手段】
【０００５】  この考案の請求項１の考案では、周壁部と底部とからなり、周壁部が一部で開き可能に接合された構成で、周壁部の接合される端部において外側に位置する側の端部に、周壁部の接合を引き剥がす際の掴み片が一体に設けられてなることを特徴とする使い捨てカップを提供する。【０００６】  上記構成の使い捨てカップは、掴み片を持って接合部を引き剥がすことで周壁部を開くことができる。とくに、使い捨てカップを離形性の良いプラスチックフィルムにより製造することでマフィン等の食品から外れやすく、これによりさらに使い捨てカップを開いての取り外しが容易に行われるようになる。また、プラスチック製とされることで加熱前の液状菓子材料等の染み込みがなくて、それによる汚れ模様の無い見栄えの良いカップが得られる。【０００７】  請求項２の考案では、上記請求項１の考案の構成において、使い捨てカップの複数個のものを嵌め込み重ねる際に、下側の使い捨てカップの周壁部の上縁が上側の使い捨てカップの掴み片にひっかかることがないように、掴み片の下部に嵌め込みガイド部が設けられてなる構成とした。【０００８】  上記構成によれば、掴み片の下部に嵌め込みガイド部が設けられているので、掴み片がひっかかることなく使い捨てカップの複数個のものを嵌め込み重ねることができる。
【考案の効果】
【０００９】  請求項１の考案によれば、周壁部が容易に開くことができる使い捨てカップが得られ、これによりマフィンやその他の菓子等が食べやすくなる。請求項２の考案によれば、請求項１の考案の構成のものにおいて、掴み片があるにもかかわらず嵌め込みによって重ねることが支障なく行え、搬送や保管に便利な使い捨てカップが得られる。
【考案を実施するための最良の形態】
【００１０】    図１はこの考案の使い捨てカップの実施形態の外観斜視図、図２は図１のＡ−Ａ部分の断面図である。【００１１】  使い捨てカップ１は全体が透明のポリエチレンテレフタレートフィルムから構成され、円筒状の周壁部２とその下部に一体に設けられる底部３とからなり、周壁部２に縦方向に、また底部３の周縁に沿って超音波溶着による接合部５、６のそれぞれが設けられている。接合部５において外側に重ねられる端部９には引き剥がす際の掴み片１４が一体に設けられ、その下部は斜め湾曲縁（嵌め込みガイド部）１５となって接合部５側に至っている。なお、使用されるポリエチレンテレフタレートフィルムとしては適宜模様の付されたものを使用するが、その図示は省略している。【００１２】  図３は上記使い捨てカップの１の製造を説明する図であり、ポリエチレンテレフタレートフィルムよりなる帯状の周壁部材８がそれぞれの端部９どうしが重ねられ超音波溶着により接合されて円筒状の周壁部２とされる。次に、その周壁部２の下縁の折り重ね状態とされ環状となった部分１１上に、ポリエチレンテレフタレートフィルムよりなる円形の底部３の周縁１０が超音波溶着より一体に接合されて使い捨てカップ１が製造される。【００１３】  上記使い捨てカップ１がマフィンを納めるように用いられた場合、ポリエチレンテレフタレートフィルムよりなる使い捨てカップ１表面が離形性を持つことでマフィンの付着が強力でないので取り外しやすくて食べやすい。その際には、掴み片１４を持って接合部５を引き剥がして周壁部２を容易に開くことができる。【００１４】  上記使い捨てカップ１は製造後に複数個のものが嵌めこみにより重ねられて搬送され、また、保管される。その際、斜め湾曲縁１５が設けられていることでその嵌め込みがスムーズになされる。すなわち、斜め湾曲縁１５が無い場合には、図１に示すように、使い捨てカップ１を点線で示す下側の使い捨てカップ１内に嵌めこむ際、上側の使い捨てカップ１の掴み片１４が若干でも浮き状態になっていると下側の使い捨てカップ１の上縁２０にひっかかり嵌め込みがスムーズになされない。斜め湾曲縁１５が設けられていることで上縁２０はそれに沿うようにして相対的に上昇して掴み片１４の外面に到り、これによりスムーズな嵌め込みが可能となる。
【図面の簡単な説明】
【００１５】
【図１】  この考案の使い捨てカップの実施形態の外観斜視図
【図２】  図１のＡ−Ａ部分の断面図
【図３】  この考案の使い捨てカップの実施形態の製造説明図
【符号の説明】
【００１６】１  使い捨てカップ
２  周壁部
３  底部
５  接合部
６  接合部
９  端部
１４  掴み片
１５  斜め湾曲縁（嵌め込みガイド部）
【図１】
0003142894.tif 000003
【図２】
0003142894.tif 000004
【図３】
0003142894.tif 000005
(57)【要約】      （修正有）【課題】ポリエステル不織布より丈夫でポリエステル不織布と同等な帯電性を持つフローリング用シートを提供する。【解決手段】ポリプロピレン不織布がエンボス加工され、それにポリエステル不織布がニードルパンチにより積層一体化される。互いに一体化する事により、丈夫で帯電し易いフローリング用シートとなる。【選択図】図１
0003142892.tif 000002
【実用新案登録請求の範囲】
【請求項１】
エンボス加工を施した有色ポリプロピレン不織布と有色ポリエステル不織布を積層し、それを更に  ニードルパンチで一体化した  フロア−清掃用シート。
【考案の詳細な説明】
【技術分野】
【０００１】  本考案は、フローリング用シートで  付着する埃が識別し易い為に  埃が目立つ色彩に前以って彩色してあるのみでなく、丈夫であるポリプロピレン不織布のエンボス加工した物と  静電気を帯び易いポリエステル不織布を  一体化する工夫である。
【背景技術】
【０００２】  従来  フローリング用シートは  静電気を帯び易い様ポリエステル不織布であったが、それ自体  摩擦に弱く  それ自体埃を生み易い性質を内在していた。【０００３】  しかも  埃を識別し易い様有色の不織布から生まれた新たな埃は  更に目立つ埃である。
【考案の開示】
【考案が解決しようとする課題】
【０００４】  屋内の埃は静電気に感応し易く  その静電気を帯び易いのはポリエステル繊維である。そのポリエステル繊維不織布は結束力が低い欠点がある。【０００５】  丈夫なポリプロピレン不織布を更に丈夫にしたエンボス加工ものは  ポリエステルものに比べ静電気の帯電性に劣る処がある。
【課題を解決するための手段】
【０００６】  フローリング用シートの使途に合わせ  その丈夫さが求められる処にエンボス加工ポリプロピレン不織布を  帯電性が求められる処にはポリエステル不織布を採用する。【０００７】  エンボス加工ポリプロピレン不織布とポリエステル不織布とを  ニードルパンチによって強固に積層する事により  両不織布は一体化してフローリング用シートとなる。
【考案の効果】
【０００８】    互いに  一体化する事により  丈夫で帯電し易い  フローリング用シートとなる。
【考案を実施するための最良の形態】
【０００９】  ポリプロピレン不織布はエンボス加工により更に丈夫となり  ポリエステル不織布はニードルパンチによりポリプロピレン不織布と一体化して  更に両不織布が有色である事。
【実施例１】
【００１０】  図１のように  エンボス加工ポリプロピレン不織布とポリエステル不織布とが積層する。
【図面の簡単な説明】
【図１】本発明の実施形態を示す不織布部分の断面図
【符号の説明】
【００１１】１  エンボス加工ポリプロピレン不織布
２  ポリエステル不織布
【図１】
0003142892.tif 000003
(57)【要約】      （修正有）【課題】掛け布団の周囲にできた皺は、空気を含んだ状態となって、断熱作用を発揮し、また掛毛布の移動に対しては、このたるみの部分が対応し空気の出入りが制限され、結果、空気の流入による冷却作用が軽減される掛毛布を提供する。【解決手段】毛布で、使用時身体に接する面の辺側に近く、辺に沿って周囲を、テープ状の布等でカーテン様に囲い、その上辺を毛布面に取りつけ、垂れ下がった状態の下辺は縦方向に摘み、縫い襞をつけながら周囲を絞り加工し、上辺の周囲長より下辺の周囲長が短くなるように成形、立体化した構造の掛毛布とした。【選択図】図１
0003142891.tif 000002
【実用新案登録請求の範囲】
【請求項１】
毛布で、使用時身体に接する面の辺側に近く、辺に沿って周囲を、テープ状の布等でカーテン様に囲い、その上辺を毛布面に取りつけ、垂れ下がった状態の下辺は縦方向に摘み、縫い襞をつけながら周囲を絞り加工し、上辺の周囲長より下辺の周囲長が短くなるように成形、立体化してなる掛毛布。
【考案の詳細な説明】
【技術分野】
【０００１】  本考案は、寒い季節に使用する寝具において利用する掛毛布に関するものである。
【背景技術】
【０００２】  寒い季節の寝具といえば、布団、毛布の組み合わせであるが、材質的には技術の進歩で暖かい良いものが色々と出まわっている一方、利用の仕方をみると敷布団、毛布、掛布団を、積み重ね式の組み合わせで使っている。
寒いといえば、寝具の枚数を増やすか、室内の暖房を効かしてしのいでいるのが現状である。
【考案の開示】
【考案が解決しようとする課題】
【０００３】  寝具の利用方法で、布団、毛布を何枚重ねて使用しても、当然全て面と面との平面接触である。
問題なのは、間に挟まって使用している人の環境で、幅があり、厚みがある身体の周りの空間部分の空気が、寝返り、寝具の移動の度に減圧、加圧され、できた隙間から瞬時に空気が出入りし、断熱性が断たれ、急速な冷却作用が働くことである。
本考案は、平面接触の状態で起こるこの問題を解決しようとするものである。
【課題を解決しようとするための手段】
【０００４】  課題の解決のため、本考案は、掛毛布に処置を施した。
毛布で、使用時身体に接する面の辺側に近く、辺に沿って周囲を、テープ状の布等でカーテン様に囲い、その上辺を毛布面に取りつけ、垂れ下がった状態の下辺は縦方向に摘み、縫い襞をつけながら周囲を絞り加工し、上辺の周囲長より下辺の周囲長が短くなるように成形、立体化した構造の掛毛布としてこれを解決した。
【考案の効果】
【０００５】  本考案による掛毛布を、敷布団上に被せたとき、まずテープ状の布等の下辺が布団面にに接する、このとき下辺には、成形立体化されて出来た皺、たるみがあり、このため被せ終わったときには、重なったたるみの部分で新たな皺が追加されている。
掛毛布の周囲にできたこの皺は、空気を含んだ状態となって、断熱作用を発揮し、また掛毛布の移動に対しては、このたるみの部分が対応し空気の出入りが制限され、結果、空気の流入による冷却作用が軽減される。
上述のように、本考案により課題を解決した結果、これは利用者の就寝時の環境が改善され健康管理に有効に働き、また、使用していた寝具の枚数等も減り、資源の有効活用につながるものである。
【考案を実施するための最良の形態】
【０００６】  以下、本考案の実施の形態を説明する。
毛布４の身体に接する面の枕側の辺９に合わせ、他の三辺は辺側に近く、辺に沿って周囲をテープ状の布５等をカーテン様に囲い、その上辺６を毛布４面に取り付け、垂れ下がつている下辺７は縦方向に摘み、縫い襞８をつけながら周囲をしぼり加工し、上辺６の周囲長さより下辺７の周囲長さが短くなるように成形、立体化する。【０００７】  なお、毛布４面に取り付けるテープ状の布５等の配置関係は、これを使用したとき、枕側の辺９以外の各辺から外にはみださないよう垂れ下がりの長さにより調整する。
また、材質関係は、布の他、合成繊維、化学繊維、不織布等及び、厚さについても対象とする利用者に合わせ、幅広く、自由に選択することができる。
本考案は、以上の構成よりなっている。
本考案を使用するときは、掛毛布として、身体に接して使用する。
通常の毛布と同様に被ると、首、肩口には毛布４の枕側の辺９が対応しており、テープ状の布５等が取り付けられているので、その垂れ下がりの部分で肩口を包み込む。
肩口を包み込むことで、ここからの空気の出入りが制限される。
首から下の部分は他の辺が受け持つ、すなわち、毛布４の上から掛布団２の重みが加わることにより、成形、立体化して取り付けたテープ状の布５等が、新たな多くの皺、たるたるみを創り出す。
新たな多くの皺、たるみができたことで、このヶ所からの空気の出入りが制限され、またこの部分に内包する空気量も増え、高い断熱効果が得られ、保温が保たれる。
たるみの部分には他に大きな働きがあり、例えば、一晩に何度か繰り返される寝返り時毛布４は、それに応じて三次元の動き方をするが、この動きは、たるみの部分で吸収され、外気の流入による急速な冷却作用を軽減する。
【図面の簡単な説明】
【０００８】
【図１】本考案組合わせ時の寝具一式の分解斜視図
【図２】本考案の伏せ図
【符号の説明】
【０００９】１  敷布団
２  掛布団
３  枕
４  毛布
５  テープ状の布
６  上辺
７  下辺
８  縫い襞
９  枕側の辺
【図１】
0003142891.tif 000003
【図２】
0003142891.tif 000004